(57)【特許請求の範囲】
【請求項１】
上部竿と、前記上部竿の下部で一組の竿保持体により前記上部竿との間で相対移動可能に保持された少なくとも一本の移動竿と、相対する前記竿間に上方側の竿より垂下された羽保持紐に保持される少なくとも一面の水平遮蔽羽の遮蔽調節面を備えるブラインドにおいて、
上部竿と移動竿のいずれか一方の竿内に設けられ、少なくとも軸受に回転自在に支持された少なくとも一本の水平な筒体を備える竿移動保持装置と、各々その一方側を前記竿移動保持装置の前記筒体の外周に固定されて巻き掛けられ、該筒体の回転に伴って巻き取られたり巻き戻されたりして上下に移動可能に保持され、各々その他方の側を水平遮蔽羽の内部を貫通させて他方の竿側に結合された歯付ベルトのような一組の歯付竿帯の竿保持体と、前記一方の竿側に設けられ前記竿移動保持装置にその回転を伝達可能に連結された竿操作装置を備え、該竿操作装置による操作により前記一組の歯付竿帯の竿保持体を介して上部竿と移動竿間の相対移動と保持を行うことを特徴とする水平遮蔽羽のブラインド。
【請求項２】
上部竿と移動竿のいずれか一方の竿内に軸移動回転軸受により軸方向移動自在且つ回転自在に支持される少なくとも一本の水平な筒体を備える竿移動保持装置と、各々その一方の側を前記竿移動保持装置の対応する筒体に共に同一側より螺旋状に巻き掛けられた歯付ベルトのような一組の歯付竿帯の竿保持体を備えることを特徴とする請求項１記載の水平遮蔽羽のブラインド。
【請求項３】
上部竿と、該上部竿の下部で一組の竿保持体により上部竿との間で相対移動可能に保持された少なくとも一本の移動竿と、相対する竿間に上方側の竿より垂下された羽保持紐に保持される少なくとも一面の水平遮蔽羽の遮蔽調節面を備えるブラインドにおいて、上部竿内に軸受を介して回転自在に支持されその軸上に一定の間隔で一組の巻掛け歯車を固定に備える水平軸からなる竿移動保持装置と、前記一組の巻掛け歯車に各々噛合わされて巻き掛けられ、その巻掛け歯車の外周部の裏側より繰り出される側が水平遮蔽羽の内部を貫通して各々その端部を移動竿の対応位置に結合され、その巻掛け歯車の外周部の表側より繰り出される側が水平遮蔽羽の表側に垂下するようにした一組の歯付竿帯の竿保持体と、上部竿の一部に設けられ前記竿移動保持装置に回転を伝達可能に連結された任意の竿操作装置を備え、前記竿操作装置による一組の巻掛け歯車の回転と止めの操作により前記一組の歯付竿帯の竿保持体を介して上部竿と移動竿間の相対移動と保持を行うことを特徴とする水平遮蔽羽のブラインド。
【請求項４】
上部竿と、該上部竿の下部で一組の竿保持体により上部竿との間で相対移動可能に保持された少なくとも一本の移動竿と、相対する竿間に上方側の竿より垂下された羽保持紐に保持される少なくとも一面の水平遮蔽羽の遮蔽調節面を備えるブラインドにおいて、
上部竿内に軸受を介して回転自在に支持されその軸上に一定の間隔で一組の巻掛け歯車を固定に備える水平軸からなる竿移動保持装置と、前記一組の巻掛け歯車に各々噛合わされて巻き掛けられ、その巻掛け歯車の外周部の裏側より繰り出される側が水平遮蔽羽の内部を貫通して各々その端部を移動竿の対応位置に結合され、その巻掛け歯車の外周部の表側より繰り出される側が水平遮蔽羽の表側に垂下するようにした一組の歯付竿帯の竿保持体と、
前記一組の歯付竿帯の竿保持体及び前記一組の巻掛け歯車の中の少なくとも一つの側を操作側の歯付竿帯と操作側の巻掛け歯車に設定し、前記操作側の巻掛け歯車の下部の空間内に止め片案内手段により略上下方向に案内されその前面部に、対面する前記操作側の歯付竿帯の表側垂下部と噛合い可能な歯を備える操作歯面、あるいは、歯を備えない平坦な面を備えると共に、その上面部に対面する操作側の巻掛け歯車の下側歯面と噛み合い可能な止め歯面を有し前記止め歯面の噛み合いが外れたときに落下可能の止め片を備え、
操作側の歯付竿帯による引きと戻しの操作並びに前記止め歯面の前記下側歯面との噛み合わせと外しの操作により移動竿の上下移動と保持を行うことを特徴とする水平遮蔽羽のブラインド。
【請求項５】
上部竿より垂下される一組の歯付竿帯の竿保持体上に、内部に軸受を介して回転自在に支持された水平軸と、該水平軸に固定され各々前記一組の歯付竿帯の竿保持体に噛み合わされた一組の移動歯車からなる竿移動保持装置と、前記竿移動保持装置と回転を伝達可能に連結された竿操作装置を備え、前記竿操作装置による操作により前記一組の歯付竿帯の竿保持体を介して上部竿との間の相対移動を行う少なくとも一本の移動する竿を備えることを特徴とする請求項１又は３又は４記載の水平遮蔽羽のブラインド。
【請求項６】
竿移動保持装置に回転を伝達可能に連結された回転軸上に固定され外周に歯を備える操作歯車と、該操作歯車に噛合わされて巻き掛けられその巻き掛けの一方側が操作歯車の外周部の前側より下方に垂下された内側に歯を有する歯付操作帯と、操作歯車の下部の空間内で止め片案内手段により歯付操作帯の前側垂下部に向かって略斜め前後に揺動しその前面部側に対面する歯付操作帯の前側垂下部の内側歯面と噛合い可能な歯面を備え前記内側歯面と前記歯面の噛み合いが外れたときに後退可能の止め片と、歯付操作帯の前側垂下部の背後面位置に竿側に固定に設けられた背案内面を備え、歯付操作帯による引きと戻しの操作で移動竿を上下移動させ、且つ止め片の歯面との噛み合わせ操作により移動竿側の重量による操作歯車の回転力で歯付操作帯を止め片の歯面と背案内面との間に挟んで移動竿の移動を止める竿操作装置を備えることを特徴とする請求項１又は３記載の水平遮蔽羽ブラインド。
【請求項７】
竿移動保持装置に回転を伝達可能に連結された回転軸上に固定され外周に歯を備える操作歯車と、該操作歯車に噛合わされて巻き掛けられその巻き掛けの一方側が操作歯車の外周部の前側より下方に垂下された内側に歯を有する歯付操作帯と、該歯付操作帯の前記前側垂下部の内側の操作歯車の下部の空間内に止め片案内手段に案内されて上下運動しその上面に操作歯車の下側と噛合い可能の止め歯面を有し操作歯車が歯付操作帯の前記前側垂下部を下方へ引く方向に回転した時に噛み合いが外れて落下可能の止め片を備え、歯付操作帯の操作により前記止め歯面が操作歯車の下側に噛み合う時に移動竿側の重量による操作歯車の回転力で移動竿を保持するようにするようにした竿操作装置を備えることを特徴とする請求項１又は３記載の水平遮蔽羽ブラインド。
【請求項８】
歯付竿帯の貫通する水平遮蔽羽の帯孔の歯付竿帯の歯面の位置する側の縁部に該水平遮蔽羽の上面側へ突出する上部突出手段と下面側に突出する下部突出手段からなる突起部が設けられ、該突起部は歯付竿帯の歯溝に浅く落ち込む丸みを持った前縁側から羽の前側へ伸びる略瞳形の側面形状を有することを特徴とする請求項１又は３又は４記載の水平遮蔽羽ブラインド。
【発明の詳細な説明】
【技術分野】
【０００１】
本発明は、所謂ベネシアンブラインドにおいて、相対移動する上部竿と下部竿並びに両者を結ぶ竿保持体とこれらに関わる竿の移動と保持、操作などの関連する装置に関する。
【背景技術】
【０００２】
従来、この種のブラインドの竿保持体としては、丸い紐ないしコードが主で、一部に金属製のテープ等が使用されている。今日、一装置内に複数の遮蔽調節面などの自由な遮蔽パターン要請のある中で、従来の竿保持体とその竿移動保持装置はこれらの要請に応える上での弱点になっている。
【特許文献１】米国特許第１７５６６８０号広報
【特許文献２】実公昭３５−６２７０号広報
【特許文献３】実開昭５５−１１６１９４号広報
【特許文献４】実開昭５８−８９５９２号広報
【特許文献５】実開昭５８−１５３６９６号広報
【特許文献６】実開昭５８−１５３６９７号広報
【特許文献７】特開平２−４３４８８号広報
【特許文献８】実公平５−１０１４５号広報
【特許文献９】実開平６−２８１８７号広報
【特許文献１０】実開平７−３８５９０号広報
【特許文献１１】特開平８−４２２６８号広報
【特許文献１２】特開２０００−２４８８５５号広報
【特許文献１３】特開２００２−１１５４７４号広報
【特許文献１４】特開２００２−８９１５４号広報
【特許文献１５】特開２００２−３４９１６０号広報
【特許文献１６】実開平２-３４６９６号広報
【特許文献１７】特開平９-２６８８６２号広報
【特許文献１８】特開平１１-１３１９４８号広報
【特許文献１９】特告昭４０−２１１４号広報
【特許文献２０】特開平５−２５６０６８号広報
【特許文献２１】特開平６−３３６７２号広報
【特許文献２２】特開平９−３１０５６９号広報
【発明の開示】
【発明が解決しようとする課題】
【０００３】
従来の上部竿内の竿移動保持装置よりブラインド面内を垂下した昇降紐や、テープにより下部の移動竿の移動と保持を行うものは、紐等の弛み方向の抵抗力がなく、弛みによるトラブルを起こし易い等の欠点がある。特に、複数の移動竿を設ける際に、昇降紐の数が増加して全体構造が複雑になってしまう。
本発明の主要な目的は、複数の遮蔽調節面のための複数の移動竿の移動と保持に適した竿移動保持装置を備えるブラインドを提供するにある。
本発明の他の目的は、簡明な構造からなり、竿保持体の弛みによるトラブル等を起し難い堅牢で耐久性に優れた竿移動保持装置を備えるブラインドを提供するにある。
本発明のさらに他の目的は、移動竿の正確で安定した平行保持と静粛で滑らかな昇降移動操作の出来るブラインドを提供するにある。
本発明のさらに他の目的は、竿の移動操作と保持の操作が容易、且つ、確実に出来る竿操作装置を備えるブラインドを提供するにある。
本発明のさらに他の目的は、きっちりと正確な巻き付けによる移動竿の平行な移動と保持の行われる竿移動保持装置を備えるブラインドを提供するにある。
本発明のさらに他の目的は、全ての移動竿の移動操作などを必要に応じて手動でも電動モータでも行うことの容易なブラインドを提供するにある。
【課題を解決するための手段】
【０００４】
本発明は、上部竿と、前記上部竿の下部で一組の竿保持体により前記上部竿との間で相対移動可能に保持された少なくとも一本の移動竿と、相対する前記竿間に上方側の竿より垂下された羽保持紐に保持される少なくとも一面の水平遮蔽羽の遮蔽調節面を備えるブラインドにおいて、上部竿と移動竿のいずれか一方の竿内に設けられ少なくとも軸受に回転自在に支持された少なくとも一本の水平な筒体を備える竿移動保持装置と、各々その一方側を前記竿移動保持装置の前記筒体の外周に固定されて巻き掛けられ、該筒体の回転に伴って巻き取られたり巻き戻されたりして上下に移動可能に保持され、各々その他方の側を水平遮蔽羽の内部を貫通させて他方の竿側に結合された歯付ベルトのような一組の歯付竿帯の竿保持体と、前記一方の竿側に設けられ前記竿移動保持装置にその回転を伝達可能に連結された竿操作装置を備え、該竿操作装置による操作により前記一組の歯付竿帯の竿保持体を介して上部竿と移動竿間の相対移動と保持を行う水平遮蔽羽のブラインドである。
ここで、「少なくとも軸受に回転自在に支持された少なくとも一本の水平な筒体」とは、軸移動回転軸受により軸方向移動自在且つ回転自在に支持され歯付竿帯の竿保持体をその外周に螺旋状に巻取る筒体、あるいは、巻取りリールのように軸受に回転自在に支持され歯付竿帯の竿保持体をその外周に重ね巻きに巻き取る筒体の双方を包含するものである。
【０００５】
上記ブラインドは、上部竿と移動竿のいずれか一方の竿内に軸移動回転軸受により軸方向移動自在且つ回転自在に支持される少なくとも一本の水平な筒体を備える竿移動保持装置と、各々その一方の側を前記竿移動保持装置の対応する筒体に共に同一側より螺旋状に巻き掛けられた歯付ベルトのような一組の歯付竿帯の竿保持体を備えるものとすることが出来る。
【０００６】
さらに本発明は、上部竿と、該上部竿の下部で一組の竿保持体により上部竿との間で相対移動可能に保持された少なくとも一本の移動竿と、相対する竿間に上方側の竿より垂下された羽保持紐に保持される少なくとも一面の水平遮蔽羽の遮蔽調節面を備えるブラインドにおいて、上部竿内に軸受を介して回転自在に支持されその軸上に一定の間隔で一組の巻掛け歯車を固定に備える水平軸からなる竿移動保持装置と、前記一組の巻掛け歯車に各々噛合わされて巻き掛けられ、その巻掛け歯車の外周部の裏側より繰り出される側が水平遮蔽羽の内部を貫通して各々その端部を移動竿の対応位置に結合され、その巻掛け歯車の外周部の表側より繰り出される側が水平遮蔽羽の表側に垂下するようにした一組の歯付竿帯の竿保持体と、上部竿の一部に設けられ前記竿移動保持装置に回転を伝達可能に連結された任意の竿操作装置を備え、前記竿操作装置による一組の巻掛け歯車の回転と止めの操作により前記一組の歯付竿帯の竿保持体を介して上部竿と移動竿間の相対移動と保持を行う水平遮蔽羽のブラインドとすることが出来る。
【０００７】
さらに、本発明は、上部竿と、該上部竿の下部で一組の竿保持体により上部竿との間で相対移動可能に保持された少なくとも一本の移動竿と、相対する竿間に上方側の竿より垂下された羽保持紐に保持される少なくとも一面の水平遮蔽羽の遮蔽調節面を備えるブラインドにおいて、
上部竿内に軸受を介して回転自在に支持されその軸上に一定の間隔で一組の巻掛け歯車を固定に備える水平軸からなる竿移動保持装置と、前記一組の巻掛け歯車に各々噛合わされて巻き掛けられ、その巻掛け歯車の外周部の裏側より繰り出される側が水平遮蔽羽の内部を貫通して各々その端部を移動竿の対応位置に結合され、その巻掛け歯車の外周部の表側より繰り出される側が水平遮蔽羽の表側に垂下するようにした一組の歯付竿帯の竿保持体と、
前記一組の歯付竿帯の竿保持体及び前記一組の巻掛け歯車の中の少なくとも一つの側を操作側の歯付竿帯と操作側の巻掛け歯車に設定し、前記操作側の巻掛け歯車の下部の空間内に止め片案内手段により略上下方向に案内されその前面部に、対面する前記操作側の歯付竿帯の表側垂下部と噛合い可能な歯を備える操作歯面、あるいは、歯を備えない平坦な面を備えると共に、その上面部に対面する操作側の巻掛け歯車の下側歯面と噛み合い可能な止め歯面を有し前記止め歯面の噛み合いが外れたときに落下可能の止め片を備え、
操作側の歯付竿帯による引きと戻しの操作並びに前記止め歯面の前記下側歯面との噛み合わせと外しの操作により移動竿の上下移動と保持を行う水平遮蔽羽のブラインドとすることが出来る。
【０００８】
また本発明は、上部竿より垂下される一組の歯付竿帯の竿保持体上に、内部に軸受を介して回転自在に支持された水平軸と、該水平軸に固定され各々前記一組の歯付竿帯の竿保持体に噛み合わされた一組の移動歯車からなる竿移動保持装置と、前記竿移動保持装置と回転を伝達可能に連結された竿操作装置を備え、前記竿操作装置による操作により一組の歯付竿帯の竿保持体を介して上部竿との間の相対移動を行う少なくとも一本の移動する竿を備える水平遮蔽羽のブラインドとすることが出来る。
【０００９】
さらに本発明は、竿移動保持装置に回転を伝達可能に連結された回転軸上に固定され外周に歯を備える操作歯車と、該操作歯車に噛合わされて巻き掛けられその巻き掛けの一方側が操作歯車の外周部の前側より下方に垂下された内側に歯を有する歯付操作帯と、操作歯車の下部の空間内で止め片案内手段により歯付操作帯の前側垂下部に向かって略斜め前後に揺動しその前面部側に対面する歯付操作帯の前側垂下部の内側歯面と噛合い可能な歯面を備え前記内側歯面と前記歯面の噛み合いが外れたときに後退可能の止め片と、歯付操作帯の前側垂下部の背後面位置に竿側に固定に設けられた背案内面を備え、歯付操作帯による引きと戻しの操作で移動竿を上下移動させ、且つ止め片の歯面との噛み合わせ操作により移動竿側の重量による操作歯車の回転力で歯付操作帯を止め片の歯面と背案内面との間に挟んで移動竿の移動を止める竿操作装置を備える水平遮蔽羽ブラインドとすることが出来る。
【００１０】
さらに本発明は、竿移動保持装置に回転を伝達可能に連結された回転軸上に固定され外周に歯を備える操作歯車と、該操作歯車に噛合わされて巻き掛けられその巻き掛けの一方側が操作歯車の外周部の前側より下方に垂下された内側に歯を有する歯付操作帯と、該歯付操作帯の前記前側垂下部の内側の操作歯車の下部の空間内に止め片案内手段に案内されて上下運動しその上面に操作歯車の下側と噛合い可能の止め歯面を有し操作歯車が歯付操作帯の前記前側垂下部を下方へ引く方向に回転した時に噛み合いが外れて落下可能の止め片を備え、歯付操作帯の操作により前記止め歯面が操作歯車の下側に噛み合う時に移動竿側の重量による操作歯車の回転力で移動竿を保持するようにするようにした竿操作装置を備える水平遮蔽羽ブラインドとすることが出来る。
【００１１】
本発明は、歯付竿帯の貫通する水平遮蔽羽の帯孔の歯付竿帯の歯面の位置する側の縁部に、該水平遮蔽羽の上面側へ突出する上部突出手段と下面側に突出する下部突出手段からなる突起部を設け、該突起部は歯付竿帯の歯溝に浅く落ち込む丸みを持った前縁側から羽の前側へ伸びる略瞳形の側面形状を有すものとすることが出来る。
これによってブラインドを開閉する際に、歯付竿帯の歯面が帯孔に引っ掛かる現象を回避することが出来る。
【００１２】
ここで、歯付帯体（歯付竿帯及び歯付操作帯）は一定の正確な幅と厚みを有し強い腰と柔軟性を備える例えば細い歯付ベルトのような平たい帯状体を云う。圧縮、引張りに対して変形せず強い抗力を有するものである。又、必ずしも限定されないが歯付ベルトのようにその表面ないし裏面あるいは両面に一定のピッチの歯のような刻み目が設けられている。この刻み目は竿帯の厚みに比した曲げの柔軟性を与え、きっちりとした正確な巻き付けによる移動竿の平行な移動と保持、並びに歯車による平行な移動と保持の行われる竿移動保持装置を可能にする。
【発明の効果】
【００１３】
本発明によれば、歯付帯体上にその内部に歯付帯体と噛み合わされた移動歯車からなる移動する竿内の竿移動保持装置とその竿操作装置を備える移動竿を得ることが出来、移動竿毎の複数組の竿保持体を設ける必要がなく、簡単な構造の複数の移動竿を備えた複数の遮蔽調節面を備える水平遮蔽羽ブラインドを提供することが出来る。
【００１４】
本発明によれば、水平遮蔽羽の中を通る竿保持体として細い歯付ベルトのような歯付帯体を用いているので、歯を備える帯と歯車や止め片との噛み合いによる滑りのない確実な作動の竿移動保持装置と竿操作装置を得ることが出来、移動竿の正確で安定した平行移動と保持の操作の行われる簡単な構造の水平遮蔽羽ブラインドを提供することが出来る。
【００１５】
又、本発明における水平遮蔽羽の中を通る細い歯付帯体は細い歯付ベルトのように一定の正確な幅と厚みを有しており、強い腰と柔軟性を備える平たい帯状体であり、圧縮、引張りに対して変形せず強い抗力を有する。そして歯の刻み目は竿帯の厚みに比較した曲げの柔軟性を高め、コードやテープからなる従来の竿保持体のように弛みによるトラブル等を起し難い堅牢で耐久性に優れた竿移動保持装置を備える水平遮蔽羽ブラインドを提供することが出来る。
【００１６】
さらに、本発明によれば、一定の正確な幅と厚みを有する歯付帯体の筒体へのきっちりと正確な巻き付けによる移動竿の平行な移動と保持の行われる竿移動保持装置を備える水平遮蔽羽ブラインドを提供することが出来る。
【発明を実施するための最良の形態】
【００１７】
水平遮蔽羽の中を通す竿保持体として細い歯付ベルトのような歯付帯体を用い、歯を備える帯と車の噛み合いによる滑りのない確実な作動の竿移動保持装置と竿操作装置を備える水平遮蔽羽ブラインドを得る。
【実施例１】
【００１８】
図１〜図６に示される水平遮蔽羽のブラインドは、窓の上部に固定される上部竿１の下に、移動竿２が上部竿１から所望の間隔で垂下されている２本の歯付竿帯３により保持されている。上部竿１からは移動竿２に羽操作装置の保持リング３３から羽保持紐４が垂下されており、該羽保持紐４に水平遮蔽羽５が保持され遮蔽調節面Ａが形成されている。歯付竿帯３は水平遮蔽羽５の帯孔を通って移動竿に至っている。上部竿１内の各歯付竿帯３の巻付け部位に固定されたケース７に軸移動回転軸受８が設けてあり、該二つの軸移動回転軸受８に一本の水平な円筒の筒体１０が軸方向移動自在、且つ、回転自在に支持されている。軸移動回転軸受の位置は特に限定されないが、ここでは歯付竿帯の巻付け部位の近くに設けてある。水平遮蔽羽５の帯孔を貫通する２本の歯付竿帯３は歯付ベルトで、その歯面はブラインドの表側方向を向いている。その下端側は移動竿２に各々結合されており、その上方側は各々筒体１０の対応する位置に巻き掛けられている。ここで、各歯付竿帯３は筒体１０の右方から左方へ右巻きに螺旋状に巻かれて筒体の裏側より移動竿２へ垂下されており、移動竿２を平行に保持している。筒体１０上には後述する竿操作装置１１が設けてある。該竿操作装置１１の操作により筒体１０が回転することにより、各歯付竿帯３は螺旋状に巻き込まれたり巻き戻されたりして移動竿２を上下に移動させる。各歯付竿帯３が巻き込まれる時に筒体１０は右方へ移動し、巻き戻される時に筒体１０は左方へ移動する。このようにこの竿移動保持装置６が構成されている。
図２〜３において、筒体１０の歯付竿帯の巻付けの前方側（右方側）の外周に、歯付竿帯３の刻み目に合致した刻み目で、且つ歯付竿帯３の巻付け刻み角度に合致した傾斜角度のハスバ歯の歯１２が形成されている。ここでは、筒体１０の端面部分に形成された窪み部分に、帯固定輪１３が、窪み部分に埋め込まれた二つの廻り止めキー１５を外側より抱くようにして固定に嵌まっている。該帯固定輪１３はその外周に前記同様のハスバ歯を有する歯車で、その歯部分は筒体１０の外周より略歯丈の高さ分だけ突出している。そこで、歯付竿帯３の先端部１４は、該帯固定輪１３の外周の歯部に噛み合わされて、巻付けの後方側（左方側）の外周へ滑らかに巻き付けられている。この歯付竿帯の先端部１４の噛み合わせ部分の外周には、該先端部１４を帯固定輪１３の周りに確りと固定する固定リング１８が嵌められている。この竿帯結合手段のハスバ歯の歯１２は、ここに示す例以外の方法、例えば、筒体の外周の一部を隆起させて歯形を形成する等の既存の技術により筒体の同じ部分に自由に形成することが出来る。
各歯付竿帯３の巻付け位置に竿側に固定されたケース７には、歯付竿帯３の側面を案内する両側の側案内面１７と、竿帯の背後面を案内する背案内面１６が設けてある。この側案内面１７と背案内面１６は歯付竿帯３の側面と背面を案内して歯付竿帯３が螺旋状にきっちりと巻き込まれ、あるいは、巻き戻されるのを助ける。左右の歯付竿帯３は、共に同じ方向の螺旋状に巻かれており、筒体１０を軸方向に移動させる移動力は同じ方向に生じ、各々の側案内面１７に分担される。従って、竿帯の数が増えれば、それだけ各側案内面の負担する力は軽減される。
右側の歯付竿帯３の巻付け部の内側に竿操作装置１１が設けられている。筒体１０には一本の歯付操作帯１９が筒体１０の左方から右方へ右巻きに螺旋状に巻かれており、操作側ケース７′部分で筒体の表側より下方へ垂下されている。該歯付操作帯１９は、歯付竿帯３と同じ歯を有する同じ幅の歯付ベルトである。そして、歯付竿帯３と同じようにしてその先端部が筒体１０の外周に結合され、その巻付けの後方側（右方側）の外周へ滑らかに巻き付けられている。歯付操作帯１９の先端部と筒体側の歯１２′との噛み合わせ部分の外周には、歯付竿帯３と同様の固定リング１８′が嵌められて確りと固定されている。筒体１０の表側部位より長く垂下される歯付操作帯１９の下端部２０は移動竿２の裏側に結合されている。
歯付操作帯１９の巻付け部位に固定される操作側ケース７′は両側の側案内面１７′と背面側の背案内面１６′を有し、歯付操作帯１９も歯付竿帯３と同じようにして案内される。そして、筒体１０には歯付操作帯１９の巻き付け、巻き戻し時に各歯付竿帯３と同一方向の側方移動力を生じ、各側案内面が側方力を分担する。
図のように、移動竿２が降下して歯付竿帯３の巻き付けが一杯に戻されている時に歯付操作帯１９は一杯に巻き込まれている。そして、歯付竿帯３が一杯に巻き込まれて移動竿２が一杯に上昇した時、歯付操作帯１９の巻き付けが一杯に戻される。
操作側ケース７′の歯付操作帯１９の内側で、筒体１０の下部と上部竿１の底壁との間に形成された空間に移動竿の移動止め手段２０の止め片２１が設けてある。両側の側案内面１７′に筒体の外周曲面に略倣って前後方向にキー溝状の案内溝２２が設けてある。止め片２１は歯付操作帯１９と略同じ幅を有し、その両側面に案内溝２２に嵌まるキー状の案内突部２３を備えている。そこで、止め片２１は案内溝２２に案内されて、背案内面１６′と後止面２４の間を筒体１０の外周に沿って前後に運動することが出来る。止め片２１はその上部が筒体１０の外周に沿った曲面をなし、その下部は平坦な面に造られ、その前面部には歯付操作帯１９の歯に噛合う操作歯面２５を有している。背案内面１６′は、ここでは前方へ傾斜して下った平坦な面になっている。止め片２１の前後運動を案内する案内手段は、この他の任意の手段によることが出来る。
図６に示すように、歯付操作帯１９を傾け角度Ａ°より大きく表方へ傾けて下へ引くことにより、その操作歯面２５が歯付操作帯１９の歯から外れて、止め片２１は仮想線で示されるように自らの重量で後止面２４まで後退し、その位置に止まる。そこで、この傾き角度を保って歯付操作帯１９を引き、あるいは戻しすることで移動竿２を上下に移動させることが出来る。そして、歯付操作帯１９を傾け角度Ａ°より内側にして移動竿側の重量による引き力について上へ戻せば、歯付操作帯１９はその内側の歯面が止め片２１の操作歯面２５に噛合って止め片２１を上方へ引き上げ、該止め片２１と背案内面１６′との間に自ら挟まれて保持される。簡明な構造からなり、きっちりとした巻き付けによる正確で安定した平行保持と、静粛で滑らかな昇降移動操作が出来る。又、竿の移動と保持の操作が容易で、且つ、確実になされる竿操作装置１１を備えている。
図４は羽操作装置８５で、筒体１０上のケース７と操作側ケース７′との間に回転自在、且つ、軸方向摺動自在の操作リング３３が嵌められている。該操作リング３３にはその外周部に一本の軸方向溝が設けてあり、羽保持紐４の前側と後側の上端が操作リングの外周の紐溝を通って各々軸方向溝に嵌め込まれた固定ピン８６に掛けられて結合されている。操作リング３３は周囲の一個所に外周部を軸方向に切り開かれて把持開閉端部８７が形成されており、その両側の内周部に摩擦内周面部８８が形成されている。該操作リング３３は適度の弾性と摩擦抵抗性状を有する材料で出来ており、筒体に嵌められた際に拡孔するように予め筒体より小さく造られて、その拡孔変形による反発力が把持力付与手段となる。この拡孔変形による反発力により摩擦内周面部８８が筒体１０の外周を一定の把持力で把持して羽の傾斜と保持をする力を得る。
【実施例２】
【００１９】
図７は他の実施例である。以後の実施例の説明において、前述の例と同一部分には実施例毎に同一の符号の後にａ、ｂ、ｃの添字を付して示し、その詳しい説明を省略して主に異なる部分について説明する。この実施例で前述の実施例と異なる部分は、竿操作装置１１ａの歯付操作帯１９ａの巻かれる操作筒体１０′ａ部分の直径が各歯付竿帯３ａの巻かれる筒体１０ａ部分の直径より太くなっていることである。このようにすることで、歯付操作帯１９ａを操作する力を軽減することが出来る。又、移動竿を引き上げた時の歯付操作帯１９ａの垂下長さを適当に長く調節出来ることである。
【実施例３】
【００２０】
図８〜１０では各歯付竿帯３ｂの歯面はブラインドの裏方側を向いており、共に筒体１０ｂの右方から左方へ左巻きに螺旋状に巻かれて筒体の外周の表側より移動竿へ垂下されている。上部竿１ｂの右側に竿止め手段を含む竿操作装置１１ｂが設けてある。該竿操作装置１１ｂはその操作歯車２６が上部竿１ｂの表側の面に筒体１０ｂに対して直角の向きに取付けられており、歯車伝導機構を介して筒体と回転伝導可能に連結されている。上部竿１ｂの右端部に固定された操作ケース７′ｂに伝導軸９と直角方向に円筒形の支軸２７を備える操作歯車２６が回転自由に嵌まっている。該操作歯車２６には支軸２７の後ろ側に小傘歯車２８が一体に形成されている。操作ケース７′ｂの右側の端部にはそのボス部２９を回転自由に支持される大傘歯車３０が嵌まっており、小傘歯車２８と噛合わされている。大傘歯車３０と筒体１０ｂは四角形軸断面の伝導軸９により回転を連結されている。即ち、筒体１０ｂの右側の中心部に伝導軸９に嵌まる四角形の従動角孔３２が設けてある。一方、大傘歯車３０の中心部にも同じ四角形の駆動角孔３１が設けられている。伝導軸９はその右側を大傘歯車３０の駆動角孔３１側に固定に保持されて、その左側が筒体の従動角孔３２内に軸方向に滑動自在に挿入されている。そこで、大傘歯車３０の回転は伝導軸９を介して軸方向に移動する筒体１０ｂに伝達される。伝導軸９に嵌まるブッシュ３４は操作ケース７′ｂ内で伝導軸９を回転自由に支持する。そこで、歯付操作帯１９ｂの引き側３５を矢印３６のように下方に引くと、止め片２１ｂは歯付操作帯１９ｂより外れて後退し、操作歯車２６と小傘歯車２８は矢印の方向に回転して大傘歯車３０と伝導軸９を矢印の方向に回す。筒体１０ｂは伝導軸９と共に回り歯付竿帯３ｂを矢印３７のように巻き上げて、その下部に結合された移動竿（図示せず）を上昇せしめる。歯付操作帯の弛み側３８を矢印３９のように下方に引くと押出しレバー５０により止め片２１ｂが前進して歯付操作帯１９ｂと噛合う。そこで引き側３５を戻せば歯付操作帯１９ｂが止め片２１ｂと背案内面１６′ｂの間に挟まれてロックされ移動竿はその位置に保持される。
上部竿１ｂの左端に筒送りネジ装置４０が設けてある。端部カバーの筒体１０ｂの軸心に合う位置に筒体の中空孔に深く伸びる送りネジ軸４１が固定されている。該送りネジ軸４１のネジのピッチは筒体１０ｂに巻かれる歯付竿帯３ｂの巻付けピッチに合致しており、且つ、歯付竿帯３ｂの巻き方向と同一方向の螺旋状溝である。そして、該送りネジ軸４１には筒体１０ｂの左端面に同心に固着されたナット４２が嵌まっている。そこで、竿帯の巻き込み、巻き戻し時に筒体１０ｂが回転させられる時、送りネジ軸４１により歯付竿帯の巻付けピッチに合ったピッチで筒体が軸方向に送られ、全ての歯付竿帯３ｂが側方移動を生ずることなく筒体へ螺旋状に巻かれ、巻き戻しされる。送りネジ軸４１のネジのピッチは歯付竿帯の巻付けピッチに同じでよいが、側案内面１７ｂを備えるものでは僅かに大きめであれば巻付けられる歯付竿帯の間に余裕が出来る。筒送りネジ装置４０は、この例に示す以外に、例えば、筒体１０ｂの任意の外周部に送りオネジ部を設け、該オネジ部に嵌まるナットを竿側に固定に設けるようにして実施し得ることなどは当業者の自明のことである。このように、きっちりと正確な巻き付けによって正確で安定した平行保持と、静粛で滑らかな昇降移動操作が行われる。
【実施例４】
【００２１】
図１１〜１２の実施例はブラインドの左側は右側と対称であるので省略されている。ここで、第一の実施例と異なるところは、筒体１０ｃ並びに操作筒体１０′が上部竿１ｃ内に軸受４４に回転自在に支持された水平軸９ｃ上に軸方向移動自在、且つ水平軸と同時に回転するように回転を連結されて保持されている。水平軸９ｃは四角の軸断面を有し、筒体側は四角孔で水平軸９ｃに嵌まって一体的に回転する。そして、筒体１０ｃ及び操作筒体１０′は各歯付竿帯３ｃ及び歯付操作帯１９ｃ毎に水平軸９ｃ上に個別に設けられている。竿操作装置１１ｃの回転と停止は水平軸９ｃを介して各筒体１０ｃに伝達され、前例同様に筒体１０ｃに巻かれた歯付竿帯３ｃにより移動竿の上下移動と保持がなされる。さらに、竿操作装置１１ｃは、第一の例とは移動竿の移動止め手段の部分を異にしている。操作筒体１０′の下部には操作ケース７′ｃに操作筒体１０′と同心の半円筒状の案内窪み４５が設けてあり、操作筒体１０′との間に半輪状の空間４６が形成されている。該空間４６内に表裏方向に揺動自在に案内される止め片２１ｃが設けてある。該止め片２１ｃにはその横へ幅広なった部分に操作ケース７′ｃの帯案内部４７に沿って表側へ歯付操作帯１９ｃと並列に一定の長さ垂下されるロック帯４８が固着されている。歯付操作帯１９ｃを下方へ引き続けると止め片２１ｃがその重力でロック状態から外れて図のように後退し、歯付操作帯１９ｃを引き戻しして移動竿を上下させる。そして、歯付操作帯１９ｃを握ったままロック帯４８を下へ引くことにより止め片２１ｃが前進してその操作歯面２５ｃが歯付操作帯１９ｃの歯と噛合う。ここで、歯付操作帯１９ｃを放すことで該歯付操作帯１９ｃが移動竿の重量で止め片２１の操作歯面２５ｃと背案内面１６′ｃとの間で挟まれてロックされる。細かで確実な竿の移動操作のできる竿操作装置である。
【実施例５】
【００２２】
図１３〜１４は上部竿１ｄの左側部分が省略され右側部分の主に竿操作装置１１ｄの部分が示されている。ここで、上部竿１ｄ内に一方を竿内に固定された軸受（省略）に他方を竿操作装置１１ｄの軸受８ｄに内歯車３０ｄのギヤーボス４９を介して回転自由に支持された四角の軸断面の水平軸９ｄを備え、該水平軸９ｄ上に竿移動保持装置６ｄとこれと並列に設けられた移動竿の移動止め手段を含む竿操作装置１１ｄを備えている。
水平軸９ｄ上には歯付竿帯３ｄに対応する位置に筒体１０ｄがその軸心の四角孔で水平軸上を滑り移動可能且つ軸と同時回転するように回転が連結されている。水平遮蔽羽の中を通る歯付ベルトの竿帯３の歯面は、ここでは水平遮蔽羽面の表側に向いて垂下しその下端を移動竿（省略）に結合されている。その上方側は筒体１０の外周に図のように螺旋状に巻かれ、竿移動保持装置６ｄが構成されている。水平軸９ｄの右側部に上部竿１ｄに固定された操作ケース７′いが固定されており、該操作ケース７′ｄ内に回転自由に嵌まる支軸２７ｄを備える操作歯車２６ｄが設けてある。該操作歯車２６ｄの左側の軸端部には小歯車２８ｄが一体に形成されている。該小歯車２８ｄは水平軸９ｄの右側端部に固定されたギヤーボス４９に固く嵌まった内歯車３０ｄと噛合わされており、該歯車伝導機構を介して水平軸９ｄと回転が連結されている。操作歯車２６ｄには輪状に繋がれた歯付ベルトの歯付操作帯１９ｄが噛み合わされて巻掛けられている。歯付操作帯１９ｄの操作歯車２６ｄの前側を垂下する部分は、竿を操作する際に竿の重量の懸る引き側３５ｄで竿移動操作部になる。一方、操作歯車２６ｄの後側を垂下する部分は押出しレバー５０の帯案内面５３を通って下に垂下される弛み側３８ｄで止め操作部をなしている。操作歯車２６ｄの下の空間内には前後に揺動する止め片２１ｄがある。該止め片２１ｄは、操作歯車の右側の支軸２７ｄ部分に軸受を介して揺動自由に嵌まるアーム部２３ｄの端に操作歯車側へ出っ張るような形で一体に形成されており、アーム部２３ｄに案内されて支軸２７ｄの周りに揺動する。止め片２１ｄはその前側面に歯付操作帯１９ｄの歯に噛合う操作歯面２５ｄが形成され、その後側は押出しレバー５０ｄの押当て面５１をなしている。止め片２１ｄの下部の操作ケース７′側に左右方向に水平に固定されたレバーピン５２に押出しレバー５０ｄが揺動自在に支持されている。該押出しレバー５０ｄはそのレバーピン孔の前側に歯付操作帯１９ｄの巻掛けの後側の垂下部分を受けて前下方へ導く凸に湾曲した帯案内面５３があり、レバーピン孔の上部には止め片の後方側に伸び出し横方向のピン状の押し部５４を備えるレバー部５５が形成されている。レバーピン５２の部分にそのコイル部を嵌め込まれ、その一方の脚を押出しレバーの帯案内面５３の下側に挿入され、他方の脚を操作ケース７′いの下部に受け止められたレバー戻し手段の戻しバネ５６が嵌めてある。そこで、押出しレバー５０ｄは図で示されるように、戻しバネ５６の力で常時そのレバー部５５が操作ケース７′ｄの後側の壁に当たって後方に立ち上った状態に保たれる。操作ケース７′ｄには操作歯車２６ｄの前側の部分に下方にのびる背案内面１６′が形成されている。止め片２１ｄの運動空間の下部には、その前端面が止め片後退時の操作歯面２５ｄより幾分前方に出っ張った内側案内手段の内案内ローラ５７が設けてある。該内案内ローラ５７は操作ケースに水平に固定されたピンに嵌まっている。内側案内手段は絶対に必要なものではないが、移動竿の移動操作時に歯付操作帯１９ｄの傾きが充分でない時に、その内側の歯が止め片の操作歯面２５ｄに接触するのを防ぐ働きをする。又、歯付操作帯１９ｄの引き側３５ｄと弛み側３８ｄの垂下部分の内側が接触するのを防ぐ働きもする。
図１４で、歯付操作帯の引き側３５を矢印３６ｄのように下方に引くと、止め片２１ｄは歯付操作帯１９ｄの歯から外れて後退し、仮想線で示すように押当て面５１が押し部５４に当った位置に保たれる。そして操作歯車２６ｄは矢印の方向に回転して内歯車３０ｄを矢印の方向に回し、水平軸９ｄを介して筒体１０ｄを回して歯付竿帯３ｄと移動竿を矢印３７ｄのように上方へ動かす。引き側３５ｄをその位置に保ったまま、弛み側３８ｄを矢印３９ｄのように下方に引くと、図に仮想線で示されるように押出しレバー５０ｄの帯案内面５３が戻しバネ５６の力に打ち勝って下方に傾き、押しピン５４が止め片２１ｄを前方に押し止め片の操作歯面２５ｄが歯付操作帯１９ｄの歯に噛み合いながら前進する。弛み側３８ｄをその状態に保ったまま、引き側３５ｄの引く力を弛めることにより、歯付操作帯１９ｄは移動竿側の重量で図示のように止め片の操作歯面２５ｄと背案内面１６′の間に挟まれて保持される。
戻しバネ５６の力を用いることで押し出レバー５０ｄの動きが敏速で、引き側３５ｄと弛み側３８ｄを細かく操作することにより、移動竿の微細な移動を行うことが出来る。又、筒体１０ｄ上に嵌まる羽操作手段の保持リング３３ｄを細かく動かして水平遮蔽羽５の傾きを細かく調整することが出来る。さらに、作動が確実で安定した戻り止め操作の出来る竿操作装置を得ることが出来る。
【実施例６】
【００２３】
図１５では、止め片２１ｆはその後方に伸びるアーム部２３ｆを止め片案内手段の支持ピン５８保持されており、該支持ピン５８に案内されて空間内を上下に揺動可能である。止め片２１ｆはその上面側に操作歯車２６ｆの下側と噛合う止め歯面５９を備えている。そして、押出しレバー５０ｆにはレバーピン孔の斜め後方側に伸び出し横方向のピン状の押し部５４ｆを備えるレバー部５５ｆが形成されている。該レバー部５５ｆは重く造られており、押出しレバー５０ｆは該レバー部５５ｆの重量で常に後方に傾く力を持っている。そこで、歯付操作帯１９ｆの引き側３５ｆを矢印３６ｆのように下方に引くと、止め片２１ｆは操作歯車２６ｆの歯から外れて落下する。移動竿の移動操作の後、弛み側３８ｆを矢印３９ｆのように下方に引いた際に、押しピン５４ｆが止め片のアーム部２３ｆを下から押上げ、止め歯面５９が操作歯車２６ｆの下側に噛合い操作歯車２６ｆの回転が止められて移動竿が止められて保持される。歯付操作帯１９ｆを傷め難い確りした竿操作装置１１ｆが得られる。そして、細かで確実な竿の移動操作のできる竿操作装置である。
【実施例７】
【００２４】
図１６〜１８では、上部竿1ｇと該上部竿1ｇ内の竿移動保持装置６ｇａより垂下される左右の歯付竿帯３ｇによって保持される下部移動竿２ｇとの間に、各々歯付竿帯３ｇ上に保持される第一中間竿６０と第二中間竿６１が設けてある。上部竿１ｇと第一中間竿６０間には上部羽保持紐４ｇａに保持される上部水平遮蔽羽5ｇａによって上部遮蔽調節面Ａｇが形成され、第二中間竿６１と下部移動竿２ｇ間には下部羽保持紐４ｇｂに保持される下部水平遮蔽羽５ｇｂによって下部遮蔽調節面Ｂが形成されている。第一中間竿６０と第二中間竿６１間に任意に間隔調節可能な眺望遮蔽調節面Ｃが設けられている。
第一中間竿６０内には軸受７ｇｂ及び８ｇｂに回転自在に支持された水平軸９ｇｂが設けてある。該水平軸９ｇｂ上には各歯付竿帯３ｇに対面する位置に該歯付竿帯３ｇの歯に噛合う移動歯車６２が固定されており、各々対応する歯付竿帯３ｇに噛合わされている。水平軸９ｇｂは第一中間竿の表裏方向の幅の略中心位置あり上と下に開いている歯付竿帯３ｇの出入口６３及び６４も同じ竿の中心位置を通っている。歯付竿帯３ｇは移動歯車６２の表側に掛けられて竿内を通っている。竿内には歯付竿帯を案内する案内片６５が設けてある。該案内片６５は竿内を通る歯付竿帯３ｇの背後面を案内して上下の出入口６３及び６４に導き、竿の中心位置より上下に引き出すようにする。竿自体の重心の配慮と共に、下位の竿の重量によって歯付竿帯３ｇが張られることで、該第一中間竿６０の水平保持が図られる。案内片６５は歯付竿帯３ｇを移動歯車６２の周りに確りと保持し、移動歯車との噛合い率を高め、且つ歯付竿帯の滑らかな流れを保ち、竿の表裏方向の水平維持に有益な働きをする。水平軸９ｇｂと共に左右の移動歯車６２が同時回転することにより歯付竿帯３ｇ上を平行を保って自ら上下移動する第一中間竿６０の移動する竿内の竿移動保持装置６ｇｂが形成される。
水平軸９ｇｂ上には、移動歯車６２の傍に竿操作装置１１ｇｂが設けられている。操作ケース７′ｇには操作歯車２６ｇの下側に深く滑らかな窪み面６７が設けてあり、竿の移動操作時に歯付操作帯１９ｇの弛み側３８ｇが該窪み面６７に沿って移動する。止め片２１ｇは水平軸９ｇｂにブッシュ６８を介して回転自在に保持されたアーム部２３ｇの端に操作歯車２６ｇと歯付操作帯の弛み側３８ｇの間に半月状に形成され、水平軸９ｇｂに案内されて略前後に揺動自在である。その前端部に歯付操作帯１９ｇの歯と噛み合う操作歯面２５ｇをその後側に押出し部を有する。止め片２１ｇは歯付操作帯１９ｇを背案内面１６′ｇとの間で保持していない時は、自重により歯付操作帯の弛み側３８ｇの内側を該窪み面６７側に押してストッパー６９に当たるまで後退する。そして、歯付操作帯の引き側３５ｇを止める際に、弛み側３８ｇを下方へ引くと、窪み面６７に沿っていた歯付操作帯の弛み側３８ｇが張られて止め片２１ｇの押出し部を押して仮想線で示すように前方に押しやり、操作歯面２５ｇが歯付操作帯の引き側３５ｇの歯面に噛み合い、該引き側３５ｇを背案内面１６′ｇとの間で挟んで保持する。さらに簡明な構造である。
第二中間竿６１側は第一中間竿６０と同じであるが歯付操作帯３ｇの案内手段が案内ローラ６５ａに換えられている。操作は他の竿と同様に竿操作装置１１ｇｂと全く同じに造られた竿操作装置１１ｇｃによってなされる。第一中間竿６０の表側と裏側の下部に竿の全横幅にわたって下方に突出するカバー部６６が設けられている。該カバー部６６は眺望遮蔽調節面Ｃを閉止した際に、相手竿に嵌まって第一中間竿６０と第二中間竿６１間の僅かな隙間を遮る働きをすると共に、両竿を確りと一体化する働きをする。従って、風などに対しても安定である。
このように、竿毎の保持体を必要としない、複数の移動竿の移動と保持に適した竿移動保持装置である。
【実施例８】
【００２５】
図１９〜２１では上部竿１ｈ内に軸受７ｈと８ｈに回転自在に支持された水平軸９ｈが設けてあり、該水平軸９ｈ上の竿保持体の通る位置に左右一組の歯付竿帯用の巻掛け歯車７０が固定されている。該巻掛け歯車７０に各々歯付竿帯３ｈが噛み合わされて巻掛けてあり、その巻掛け歯車の裏側より垂下する部分は水平遮蔽羽５ｈの帯孔を貫通して移動竿２ｈの対応位置に結合片７３により固定されている。一方巻掛けの表側より垂下する部分は水平遮蔽羽５ｈの表側に垂下されている。ここで、水平遮蔽羽の表側に垂下された歯付竿帯３ｈのうち、左側の下端は切離されて重りの付けられた切断端７２になっており、右側の下端は長く下方に伸びて移動竿２ｈの下側からＵ曲げにして結合片１２の下側に結合されており、操作側の歯付竿帯７１になっている。該操作側の歯付竿帯７１側の操作側の巻掛け歯車７０の下部の空間に前後に長い止め片２１ｈが設けてある。該止め片２１ｈはその後部側を操作ケース７′ｈの支持ピン５８ｈに保持されており、空間内を上下に揺動可能である。止め片２１ｈにはその前面部側に対面する操作側の歯付竿帯７１の表側垂下部と噛合い可能な操作歯面２５ｈが、その上面側に対面する操作側の巻掛け歯車７０と噛合い可能な止め歯面５９ｈを備えている。該止め片２１ｈの止め歯面５９ｈが操作側の巻掛け歯車７０の下側に噛合っている時、その操作歯面２５ｈは操作側の巻掛け歯車７０の前端面より幾分前へ出っ張っており、操作側の歯付竿帯７１は常に操作歯面２５ｈに噛合って下に垂下される。操作側の歯付竿帯７１を持ってＡの傾きで引くと、止め片２１ｈは噛合いが外れて自重により上部竿１ｈの底板上に落下し、操作側の巻掛け歯車７０は矢印の方向に回転する。このようにして水平軸９ｈを介して左右の巻掛け歯車が共に回転し、歯付竿帯３ｈを平行に動かして移動竿２ｈを上下に移動せしめる。操作側の歯付竿帯７１の傾きをＢの位置に保って弛めると、その内側の歯が操作歯面２５ｈを引っ掛けて噛み合い、止め片２１ｈを引き上げてその止め歯面５９ｈが操作側の巻掛け歯車７０の下側に噛み合い移動竿２ｈをその位置に停止させて保持する。止め片２１ｈの前面部側の操作歯面２５ｈの部分が歯を備えていない平坦な面あっても操作側の歯付竿帯７１による止め片の引上げと止め歯面５９ｈの噛み合わせ操作は可能であるが、操作側の歯付竿帯７１が操作歯面２５ｈに噛合って下に垂下されていれば、風などによる外力が働いて移動竿２ｈが持ち上がることがあっても、止め片２１ｈは容易に外れることがない強固な移動竿の移動止め手段２０ｈとなる。
ここで、竿操作装置部の移動竿の移動止め手段は、図６の実施例に示されるものと同じように操作側の歯付竿帯７１の表側垂下部を止め片の前面部に設けた操作歯面と表側垂下部の背後に設けた背案内面との間で挟んで移動竿の移動を止めるようにすることも出来る。
この実施例は竿操作装置部分を含む竿移動保持装置６ｈであり、正確で安定した平行保持と静粛で滑らかな竿の昇降移動操作の出来る一層簡明な構造からなっている。又、竿の移動操作と保持操作が容易であり、止め操作が滑りなく確実である。
【実施例９】
【００２６】
中間移動竿の移動操作を含め全ての竿操作装置は制動機能付の電動モータによることが出来る。
図２２〜２３において、上部竿１ｉ内の水平軸９ｉ上には巻掛け歯車に歯付竿帯３ｉを巻掛けた竿移動保持装置６ｉが設けてあり、その操作歯付竿帯７１ｉ側の操作側巻掛け歯車７０ｉ（操作円筒体）に接近して操作モータ７４が設けてある。操作モータ７４と操作側巻掛け歯車７０ｉとの間には電磁クラッチ７５が設けてある。該電磁クラッチは操作電源に通電時のみ、あるいは電池の充電時のみ操作モータ側と水平軸９ｉとが連結され、非通電時には操作側巻掛け歯車７０ｉ（操作円筒体）側と水平軸９ｉとの連結に切換わるものである。
四角軸断面の水平軸９ｉ上の一方側に歯付竿帯３ｉが巻き掛けられる操作側巻掛け歯車７０ｉが軸受７６を介して回転自由に保持されている。操作側巻掛け歯車７０ｉに隣接して電磁クラッチ７５が設けられており、該電磁クラッチ７５を間にして他方の側に操作モータ７４の出力軸に嵌まるウオームに回転連結されるウオーム歯車７８が軸受７７を介して回転自由に保持されている。電磁クラッチ７５はその中央部に水平軸９ｉ側に固定されたローター７９を有し、その操作側巻掛け歯車７０ｉ側に励磁コイル８２と、該励磁コイル８２の非通電時にバネ力で操作側巻掛け歯車７０ｉ側に設けたクラッチ歯と噛合いローター７９と操作側巻掛け歯車７０ｉ側とを回転伝達可能に連結するアーマチュア８０が設けてある。一方、ウオーム歯車７８側には励磁コイル８３と、該励磁コイル８３の非通電時にはバネ力でローター７９との噛合いが開放されるアーマチュア８１が設けてある。そこで、非通電時には歯付竿帯３ｉの操作歯付竿帯７１ｉによる手動操作が行える。通電によって励磁コイル８２と８３が励磁されるとアーマチュア８０はローター７９側に吸引されて操作側巻掛け歯車７０ｉ側との噛合いが開放される一方、アーマチュア８１が吸引されてローター７９とウオーム歯車７８側との回転が連結されるので、通電時には電動の操作モータによる操作が行える。ベッド中からリモコン操作により、あるいは窓際まで行って手動により操作することが出来るブラインドである。図中、符号１１４はリモコン信号の受信部、１１５は電池を示す。
【実施例１０】
【００２７】
図２４〜２５は、第一の実施例の上部竿と移動竿を逆さにした例で、歯付竿帯３ｋは上部竿１ｋ側に結合片７３ｋを介して固定され、下部の移動竿２ｋ側に筒体１０ｋを有する移動竿内竿移動保持装置６ｋと竿操作装置１１ｋを備えている。歯付操作帯１９ｋを上下に操作する時、移動竿２ｋも同時に反対方向に移動する。該歯付操作帯１９ｋの位置は移動竿の中央が望ましい。高い位置にある比較的丈の低い窓などに取付けるのに適している。ここでの水平遮蔽羽５ｋの傾け操作は操作棒８４によってなされる。
本発明は、歯付竿帯の巻取りについては、ここに実施例に示した筒体に螺旋状に巻取ることのみに限定されない。例えば、最も一般的に竿帯を上部竿等に設けた巻取りリールに重ね巻きに巻き取るように実施することも出来よう。
水平遮蔽羽ブラインドはそれが開かれている時は、羽操作装置が設定された羽の傾きを風などに影響されることなく確り維持している必要がある。筒体に羽の傾き操作を行う羽操作リングを備えるものでは、羽の傾け角度の範囲が１８０°に満たないのに、筒体の全回転域にわたって羽操作リングの把持力を維持することになる。このことは竿の移動操作を重くし且つ羽操作リングの摩擦部と筒体外周の摩滅を早める等の不具合をもたらす。かかる欠点を持たない羽操作装置が望まれる。
【実施例１１】
【００２８】
図２６〜２８の羽操作装置８５ｍの操作リング手段は羽保持紐４ｍの懸るリング部８９と筒体１０ｍを把持する摩擦内周面８８ｍを有する部分とが別体に造られ、２本のピンを介して一体化されている。リング部８９は筒体１０ｍ上に回転且つ軸方向摺動自在に嵌まり、その外周部に羽保持紐４ｍの前後の上端が結合された輪状体である。該リング部８９の一方の側面部に軸方向に突出する２本のリンクピン９０が間隔をおいて固定に打込まれており、この両リンクピン９０の突出した部分に一組の摩擦リンク９１が揺動可能に嵌っている。該摩擦リンク９１は各々内側に摩擦内周面８８ｍを有し、筒体１０ｍを前後より挟むように形成された前後対称の半輪状形になっている。両摩擦リンク９１の外側の周囲には同じ位置に輪溝９２が設けてあり、該輪溝９２に両摩擦リンク９１を跨ぐように把持力付与手段の把持押しバネ９３が嵌められている。両摩擦リンク９１の先端は互いに接近して略平行な平坦な面の把持開閉端部８７ｍになっている。該両把持開閉端部８７ｍ間のリング部８９の側面部にリンクピン９０と同じように軸方向に突出する駒保持手段の駒ピン９４が設けてある。該駒ピン９４の突出部に軸方向に伸びる楕円筒形の開閉駒９５がその中心部を貫通するピン孔部を回転自在に保持されて嵌まっている。両把持開閉端部８７ｍの外側の側面にはレバー凹み部９６が設けてある。開閉駒９５の外側の端部に楕円形の凸出部方向に逆ハート形に突出する操作レバー部９７が一体に形成されている。該操作レバー部９７は駒ピン９４の周りに両レバー凹み部９６の内側で運動する。操作レバー部９７の移動する範囲の上部竿１ｍ側にはカム面９８を備える操作カム９９が固定に設けられている。
図２６において、遮蔽羽５ｍの傾きは水平に開いた状態で、開閉駒９５は筒体の真下の位置にあって、その楕円の凸部の向きは操作レバー部９７と共に垂直に上下を向いている。操作レバー部９７はカム面９８に触れず、開閉駒９５の楕円周面は把持開閉端部８７ｍとの間に僅かの隙間を有している。そして、両摩擦リンク９１は把持押しバネ９３の力によりその摩擦内周面部８８ｍで筒体１０ｍの外周を確りと把持して遮蔽羽５ｍの傾きを維持している。羽保持紐４ｍを通じて懸る水平遮蔽羽５ｍの重量は主にリング部８９の内周面により筒体１０ｍの上周面に伝えられる。
図２８において、筒体１０ｍの矢印方向への回転と共にリング部８９が回転して遮蔽羽５ｍは手前下がり（裏側上がり）の終端いっぱいまで傾いている状態にある。この時、把持開閉端部８７ｍは筒体の後側（裏側）に傾いた位置にあり、開閉駒９５の操作レバー部９７が後側のカム面９８に接して手前側に大きく傾いている。そして開閉駒９５の楕円の凸部が両摩擦リンク９１の把持開閉端部８７ｍを押し開いている。そこで、上下に位置する摩擦内周面部８８ｍは共に筒体の外周面より離れた状態にあり、筒体１０ｍから開放されている。ここでは、筒体には水平遮蔽羽５ｍの重量の懸るリング部８９との間に生ずる摩擦抵抗のみである。筒体１０ｍが逆方向に回転する時も前例に順じ同様である。リング部８９は滑り特性と耐摩耗性に優れた材料、例えば、工業用プラスチック等が考えられる。又、摩擦リンク９１はブレーキ・シュー等に用いられる材料等が適している。
通常は設定された羽の傾きが確りと維持され、竿の移動操作の際には、摩擦による抵抗を与えない耐摩耗性に優れた羽操作装置を得ることが出来る。
このように、竿保持体として細い歯付ベルトのような歯付竿帯を用いるものでは、遮蔽羽を強く傾けた状態で移動竿を上下に移動させる際に、遮蔽羽の帯孔の縁が相対的に移動する歯付竿帯の歯の溝に引っ掛かり、滑らかな竿移動を妨げる場合がある。遮蔽羽を何れの方向に傾けた状態であっても、帯孔の縁が歯付竿帯の歯の溝に引っ掛かることがなく、移動竿の滑らかな移動の出来ることが強く望まれる。
【実施例１２】
【００２９】
図２９〜３１に遮蔽羽の実施例が示されている。図２９では遮蔽羽５ｎが後側下がりに傾いた状態で描かれている。そして、歯付竿帯３ｎは遮蔽羽５ｎに対して矢印１００で示すように上方向に移動している。符号Ｌで示す間隔は略四角形の帯孔１０９の前縁１０１と後縁１０２の間隔即ち帯孔の縦寸法である。遮蔽羽５ｎは後側下がりに一杯に傾いており、後縁１０２は歯付竿帯３ｎの背面１０３に接する程に接近している。一方、前縁１０１側には羽の上面側へ突出する上部突出部１０４と下面側へ突出する下部突出部１０５からなる突起部１０６が設けてある。該突起部１０６は羽の前側へ伸びる瞳状の側面形状をなしており、その前縁１０１側は半円ないし半楕円形状の丸みを持った形になっている。その高さは歯付竿帯３ｎの歯溝１０７に対し深く入り込めない高さに形成されている。図２９において突起部１０６はその上部突出部１０４側が歯溝１０７に浅く落ち込んだ状態になっている。この状態で歯付竿帯３ｎが上方向へ移動することにより歯溝１０７の下側の歯先１０８は突起部１０６の丸い前縁１０１側を前側へ押出すようにして滑らかに進み、引っ掛かることがない。同じように歯付竿帯３ｎが下方向に移動する際にも、歯溝１０７の上側の歯先は突起部１０６を前側へ押出すようにして進み、引っ掛かることなく流れることが解る。このように遮蔽羽の後側下がりの傾き状態での竿帯への引っ掛かりが防止される。図３０は遮蔽羽５ｎが前側下がりに一杯に傾いた状態が描かれている。歯付竿帯３ｎは遮蔽羽５ｎに対して矢印１１０で示すように下方向に移動している。ここでも後縁１０２は竿帯２の背面１０３に接する程に接近している。図３０において突起部１０６はその下部突出部１０５側が歯溝１０７に浅く落ち込んだ状態になっている。この状態で歯付竿帯３ｎが下方向へ移動することにより歯溝１０７の上側の歯先１１１は突起部１０６の丸い前縁１０１側を前側へ押出すようにして滑らかに進み、引っ掛かることがない。同じように歯付竿帯３ｎが上方向に移動する際にも、歯溝１０７の下側の歯先は突起部１０６を前側へ押出すようにして進み、引っ掛かることなく流れることが解る。このように遮蔽羽の前側下がりの傾き状態での歯付竿帯３ｎへの引っ掛かりが防止される。図３１において符号Ｗで示す間隔は歯付竿帯３ｎの幅で、符号ＷＨで示す間隔は帯孔１０９の右縁１１２と左縁１１３の間隔、即ち帯孔の幅である。上部突出部１０４と下部突出部１０５は歯付竿帯３ｎの幅の内側位置で遮蔽羽の上面側と下面側へ横並びに交互に突出するように形成されている。このように前縁１０１の前側に上面側へ突出する上部突出部１０４と下面側へ突出する下部突出部１０５からなる突起部１０６を設けることによって、歯付竿帯の何れの方向への流れに対しても引っ掛かることのない遮蔽羽を得ることが出来る。ここに示す突起部１０６は遮蔽羽面に比較的簡単に成型加工することが出来る。
【実施例１３】
【００３０】
図３２〜３３は他の実施例を示す。突起部１０６ｐは、帯孔１０９ｐの前縁側の中央位置に遮蔽羽５ｐの上面側へ盛り上がるように形成される上部突出部１０４ｐと、該上部突出部１０４ｐの前縁１０１ｐ側の部分より遮蔽羽の下面側へ丸みをもって突出し羽の前側へ斜めに深く曲げ込まれた下部突出部１０５ｐにより形成され、略瞳形の断面形状を成している。この実施例は前縁１０１ｐが上部突出部１０４ｐ側から下部突出部１０５ｐ側に滑らかに連続するように形成される利点がある。
【産業上の利用可能性】
【００３１】
以上のように、本発明に係る歯付帯体を用いたブラインドは、一般家庭、事務所その他の場所で広く使用され、その高められた機能性により、より快適な生活空間や仕事空間を提供することが出来る。
【図面の簡単な説明】
【００３２】
【図１】は本発明の実施例を示すブラインドの正面図で、一部を破断面にして示す図。
【図２】は図1における２部分を拡大して示す図。
【図３】は図２における３−３矢視図。
【図４】は図２における４−４断面図。
【図５】は図１における５−５断面図。
【図６】は図１における６−６断面図。
【図７】は他の実施例を示すブラインド上部の正面図で、一部を破断面にして示す図。
【図８】は他の実施例を示すブラインド上部の正面図で、一部を破断面にして示す図。
【図９】は図８における９部分を拡大して示す図。
【図１０】は図８における１０−１０断面図。
【図１１】は他の実施例を示すブラインド上部の左側部を省略した部分正面図で、一部を破断面にして示す図。
【図１２】は図１１における１２−１２断面図。
【図１３】は他の実施例を示すブラインドの上部竿の部分平面図で、破断面にして示す図。
【図１４】は図１３における１４−１４断面図。
【図１５】は図１３〜１４に示される部分の他の実施例を示す部分断面図。
【図１６】は他の実施例を示すブラインドの正面図。
【図１７】は図１６における１７−１７断面図。
【図１８】は図１６における１８−１８断面図。
【図１９】は他の実施例を示すブラインドの正面図で一部を破断面にして示す図。
【図２０】は図１９における２０−２０断面図。
【図２１】は図１９における２１−２１断面図。
【図２２】は他の実施例を示すブラインドの部分正面図。
【図２３】は図２２における２３部分の内部装置の断面図で、拡大して示す図。
【図２４】は他の実施例を示すブラインドの歯付竿帯位置における縦断面図。
【図２５】は図２４に示す実施例の竿操作装置部分の縦断面図。
【図２６】は羽操作装置の実施例で、水平遮蔽羽が水平に開かれた状態を示す軸直角断面図。
【図２７】は図２６における２７−２７断面図。
【図２８】は同実施例の水平遮蔽羽が手前側下がりの状態を示す軸直角断面図。
【図２９】は他の実施例の水平遮蔽羽の帯孔部における羽直角方向の縦断面図で、後側下がりの状態を示す図。
【図３０】は同手前側下がりの状態を示す図。
【図３１】は図２９における３１−３１断面図。
【図３２】は他の実施例で水平遮蔽羽の帯孔部における羽直角断面図。
【図３３】は図３２における３３−３３断面図。
【符号の説明】
【００３３】
１    上部竿                        ２    移動竿
３    歯付竿帯                      ４    羽保持紐
５    水平遮蔽羽                    ６    竿移動保持装置
７    ケース                        ８    軸移動回転軸受
９    水平軸                        １０  筒体
１１  竿操作装置、竿操作手段        １２  歯
１６  背案内面                      １７  側案内面
１８  固定リング                    １９  歯付操作帯
２０  移動竿の移動止め手段          ２１  止め片
２２  案内溝                        ２３  案内突部
２４  後止面                        ２５  操作歯面
２６  操作歯車                      ３５  引き側
３８  弛み側                        ４０  筒送りネジ装置
４５  案内窪み                      ４６  空間
４７  帯案内部                      ４８  ロック帯
５０ｄ、５０ｆ  押出しレバー        ５１  押当て面
５２  レバーピン                    ５３  帯案内面
５４  押し部                        ５５  レバー部
５６  戻しバネ                      ５７  案内ローラ
５８  支持ピン                      ５９  止め歯面
６０  第一中間竿                    ６１  第二中間竿
６２  移動歯車                      ６５  案内片
６７  窪み面                        ６９  ストッパー
７０  巻掛け歯車                    ７１  操作歯付竿帯
７２  切断端                        ７３  結合片
７４  操作モータ                    ７５  電磁クラッチ
８５  羽操作装置                    ８７  把持開平端部
８８  摩擦内周面                    ８９  リング部
９０  リンクピン                    ９１  摩擦リンク
９２  輪溝                          ９３  把持押しバネ
９４  駒ピン                        ９５  開閉駒
９６  レバー凹み部                  ９７  操作レバー部
９８  カム面                        ９９  操作カム
１０１  前縁                        １０２  後縁
１０４  上部突出部                  １０５  下部突出部
１０６  突起部                      １０７  歯溝
１０８  歯先                        １０９  帯孔
【図１】
0004195033.tif 000002
【図２】
0004195033.tif 000003
【図３】
0004195033.tif 000004
【図４】
0004195033.tif 000005
【図５】
0004195033.tif 000006
【図６】
0004195033.tif 000007
【図７】
0004195033.tif 000008
【図８】
0004195033.tif 000009
【図９】
0004195033.tif 000010
【図１０】
0004195033.tif 000011
【図１１】
0004195033.tif 000012
【図１２】
0004195033.tif 000013
【図１３】
0004195033.tif 000014
【図１４】
0004195033.tif 000015
【図１５】
0004195033.tif 000016
【図１６】
0004195033.tif 000017
【図１７】
0004195033.tif 000018
【図１８】
0004195033.tif 000019
【図１９】
0004195033.tif 000020
【図２０】
0004195033.tif 000021
【図２１】
0004195033.tif 000022
【図２２】
0004195033.tif 000023
【図２３】
0004195033.tif 000024
【図２４】
0004195033.tif 000025
【図２５】
0004195033.tif 000026
【図２６】
0004195033.tif 000027
【図２７】
0004195033.tif 000028
【図２８】
0004195033.tif 000029
【図２９】
0004195033.tif 000030
【図３０】
0004195033.tif 000031
【図３１】
0004195033.tif 000032
【図３２】
0004195033.tif 000033
【図３３】
0004195033.tif 000034